(57)【要約】      （修正有）【課題】被介護者への装着作業や排便回収作業が容易な排泄物回収具を提供する。【解決手段】孔の周囲に突縁が形成された便通過孔を有し、この便通過孔が肛門に対向するように使用者の尻部に装着される装着具１０と、排泄された便を収納する回収パック３０と、装着具１０の便通過孔の内側に配置される筒状部を有し、この筒状部の収縮性を有する一端が便通過孔の突縁に着脱可能に被着され、筒状部の他端に回収パック３０が固定される回収パックアダプター２０とを具備し、回収パックアダプター２０の筒状部の一端に薄葉状のティッシュ部２３が配置され、装着具１０を尻に装着したとき、ティッシュ部２３が肛門の周囲に接する。この器具では、回収パック３０と回収パックアダプター２０とが便と共に廃棄され、装着具１０は再使用される。回収パック３０回収時に回収パック３０に通じる開口が閉じて排泄物の逆流を防ぎ、ティッシュ部２３で肛門付近が拭かれる。【選択図】図１
2009056285.tif 000002
【特許請求の範囲】
【請求項１】
使用者の尻部に装着される装着具と、
肛門から排泄された便を収納する回収パックと、
前記回収パックを固定した状態で前記装着具に保持され、使用者に接する部位に薄葉状のティッシュ部を有する回収パックアダプターと、
を備えることを特徴とする排泄物回収具。
【請求項２】
孔の周囲に突縁が形成された便通過孔を有し、前記便通過孔が肛門に対向するように使用者の尻部に装着される装着具と、
前記肛門から排泄された便を収納する回収パックと、
前記装着具の便通過孔の内側に配置される筒状部を有し、前記筒状部の収縮性を有する一端が前記便通過孔の突縁に着脱可能に被着され、前記筒状部の他端に前記回収パックが固定される回収パックアダプターと、
を備え、前記回収パックアダプターの筒状部の前記一端に薄葉状のティッシュ部が配置され、前記回収パックアダプターを結合した前記装着具を使用者の尻部に装着したとき、前記ティッシュ部が肛門の周囲に接することを特徴とする排泄物回収具。
【請求項３】
請求項２に記載の排泄物回収具であって、前記回収パックアダプターを前記装着具から引き抜いて前記回収パックを回収するとき、前記回収パックアダプターの筒状部の前記一端が収縮して前記筒状部の開口が閉鎖され、且つ、前記ティッシュ部により肛門付近が拭われることを特徴とする排泄物回収具。
【請求項４】
請求項２または３に記載の排泄物回収具であって、前記回収パックアダプターが、さらに、前記回収パックの内側を拡げて便の入り込むスペースを確保する拡開部材を備えることを特徴とする排泄物回収具。
【請求項５】
請求項２から４のいずれかに記載の排泄物回収具であって、前記装着具が、柔軟性を有する素材で成形され、前記便通過孔の内側に、該便通過孔の潰れを防止する、剛性を有する孔形状保持部材を備えることを特徴とする排泄物回収具。
【請求項６】
請求項５に記載の排泄物回収具であって、前記孔形状保持部材は、前記便通過孔の肛門に対向しない側の端部から突出して把持が可能な操作部を有し、前記回収パックアダプターの筒状部は、前記孔形状保持部材の内側に配置されて、前記孔形状保持部材との間で前記回収パックを挟持し、前記回収パックアダプターを前記装着具から引き抜くとき、前記孔形状保持部材の操作部が把持されて、当該孔形状保持部材と前記回収パックアダプターとが共に前記装着具から引き抜かれることを特徴とする排泄物回収具。
【請求項７】
請求項２から６のいずれかに記載の排泄物回収具であって、前記装着具が、前記便通過孔に連なる後方部材と前方部材とを備え、前記後方部材が、人体の尻部の形状に沿った断面形状を有し、前記前方部材が、先端に紐状体を挿通する溝を有していることを特徴とする排泄物回収具。
【請求項８】
請求項７に記載の排泄物回収具であって、前記後方部材の先端が、二つの分岐部に分岐して、前記後方部材が全体としてＹ字形状を有し、前記分岐部の各々が左右の臀部に当接することを特徴とする排泄物回収具。
【請求項９】
請求項７に記載の排泄物回収具であって、さらに、便の排泄を検知する検知手段と、前記検知手段で検知された情報を無線信号により送信する無線通信モジュールとを具備し、前記装着具の前方部材に、前記無線通信モジュールを収納するための孔が設けられていることを特徴とする排泄物回収具。
【請求項１０】
請求項９に記載の排泄物回収具であって、前記検知手段が、前記装着具の便通過孔に臨む位置に配置されていることを特徴とする排泄物回収具。
【請求項１１】
請求項９に記載の排泄物回収具であって、前記検知手段が、前記回収パックアダプターの筒状部の内部に配置され、前記検知手段の検知情報を読み取る手段が前記装着具の便通過孔に臨む位置に配置されていることを特徴とする排泄物回収具。
【請求項１２】
請求項７から１１のいずれかに記載の排泄物回収具であって、前記装着具の後方部材の先端が、取付部材を介して、使用者の胴に回したベルトに結合され、前記前方部材の溝に通した紐状体が前記ベルトに係止されて、前記装着具が使用者の尻部に装着されることを特徴とする排泄物回収具。
【請求項１３】
請求項１に記載の排泄物回収具であって、
前記回収パックアダプターは、一端に前記回収パックが結合され、他端に伸縮性を有する前記ティッシュ部が設けられた筒状体で構成され、
前記装着具は、前記回収パックアダプターが内側に配置される便通過孔と、前記回収パックアダプターの前記ティッシュ部が押し広げられ、反転されて係合される突縁と、当該装着具をおむつに設けられた孔に固定するための固定手段と、を有し、
前記おむつを穿いた使用者の尻部に前記装着具の前記突縁が当接して前記ティシュ部が肛門の周囲に接触し、前記回収パックが、前記おむつの外部に露出することを特徴とする排泄物回収具。
【請求項１４】
請求項１３に記載の排泄物回収具であって、前記装着具は、前記おむつの内側に配置される内在部材と、前記おむつの外側から当該おむつの前記孔に挿入されて前記内在部材に係合する挿入部材とを有し、
前記内在部材は、前記挿入部材が挿入される第一筒状部と、前記第一筒状部の尻部側に設けられた尻部当接用の皿状部と、前記第一筒状部の反対側に設けられた前記固定手段を構成する第一鍔部と、を有し、
前記挿入部材は、前記便通過孔を備えると共に一端に前記突縁を備えた第二筒状部と、前記第二筒状部の他端に設けられた前記固定手段を構成する第二鍔部と、を有し、
前記内在部材の第一筒状部の内面と前記挿入部材の第二筒状部の外面との接触により前記挿入部材が前記内在部材に係合し、前記内在部材の第一鍔部と前記挿入部材の第二鍔部とが前記おむつの前記孔の周辺を挟み込むことで前記装着具が前記おむつの孔に固定されることを特徴とする排泄物回収具。
【請求項１５】
請求項１４に記載の排泄物回収具であって、前記内在部材の皿状部には、使用者の身体の前側に対応する前方部分に切除部が形成され、使用者の身体の後ろ側に対応する後方部分に切溝が形成され、前記皿状部が前記切除部及び切溝により左右に分離されていることを特徴とする排泄物回収具。
【請求項１６】
請求項１５に記載の排泄物回収具であって、前記挿入部材の前記突縁を備えた端部は、使用者の身体の前側に対応する前方部分、及び、使用者の身体の後ろ側に対応する後方部分が山型に成形されていることを特徴とする排泄物回収具。
【請求項１７】
請求項１３に記載の排泄物回収具であって、前記装着具が、前記便通過孔を備えると共に一端に前記突縁を備えた第三筒状部と、前記第三筒状部の他端に設けられた前記固定手段を構成する固定板と、前記固定板に固着された面ファスナーと、を有し、
前記第三筒状部が前記おむつの外側から当該おむつの前記孔に挿入され、前記固定板が前記面ファスナーで前記おむつの外面に結合されて、前記装着具が前記おむつの孔に固定されることを特徴とする排泄物回収具。
【請求項１８】
請求項１７に記載の排泄物回収具であって、前記第三筒状部の前記突縁を備えた端部は、使用者の身体の前側に対応する前方部分、及び、使用者の身体の後ろ側に対応する後方部分が山型に成形されていることを特徴とする排泄物回収具。
【発明の詳細な説明】
【技術分野】
【０００１】
本発明は、体の弱った老人や病人、幼児等の大便を処理するための排泄物回収具に関する。
【背景技術】
【０００２】
近年、高齢者人口の増加に伴い、排尿や排便の意思表示を介護者に伝えることができない重度要介護者の数が年毎に増えている。
こうした重度要介護者の排泄物の処理は、通常、オムツを使って行われる。介護用オムツには、吸収性に優れた素材が用いられており、オムツの装着者が複数回にわたって排尿しても、それを吸収し、ムレたりせずにサラサラ感を保つことができるパッド類が開発されている。
しかし、排泄された大便は、装着者の体圧で臀部とオムツとの間に広がり、装着者に不快感を与え、また、肌のただれや痒みの原因となる。そのため、重度要介護者をケアする介護施設では、排便・排尿の有無に係らず、一日に７回程度、定期的に重度要介護者のオムツの交換が実施される場合もある。
ただ、在宅介護においては、介護者に対して介護施設と同等の排泄物の処理を求めることは難しい。
【０００３】
下記特許文献１には、こうした事情を考慮して開発された「介護用使い捨て便器」が開示されている。この便器は、重度要介護者の排便を収容するためにオムツのように重度要介護者に予め装着される。
この便器は、空気や水を封入した棒状の弾性袋から成り、中心に便通過孔を有する肛門当接部材と、肛門当接部材と同位置に便通過孔を有し、肛門当接部材を下から支持する可撓性シート状のパッドと、パッドの便通過孔の周りに上端縁が固定された便収納用袋体とを備えており、パッドには、体に結び付ける４本の紐の端部が固定されている。
この便器は、パッドの紐を重度要介護者の腰や足に結び付けて、肛門当接部材が尻部の溝に嵌まり、且つ、肛門が肛門当接部材の便通過孔の位置に来るように装着される。装着者の肛門から排出された大便は、肛門当接部材及びパッドの便通過孔を通り、便収納用袋体に収納される。
【特許文献１】特開２００４-１５９９４８号公報
【発明の開示】
【発明が解決しようとする課題】
【０００４】
しかし、従来の介護用使い捨て便器は、オムツと同様に、排泄物と共に全体を廃棄しなければならないため、紙やプラスチックの廃棄量の増大を招来し、環境にとって好ましくない面があった。
また、従来の介護用使い捨て便器は、便通過孔を閉じることができないため、交換の操作中に、排泄物が便収納用袋体から逆流して肛門当接部材の便通過孔からこぼれ出る虞があった。
また、従来の介護用使い捨て便器では、交換時に、被介護者の肛門付近に付着した汚物を拭き取る作業が必要であった。
【０００５】
本発明は、このような問題点の解決を図るものであり、被介護者への装着作業や排便回収時の交換作業が容易であり、また、廃棄資源の削減を図ることができる排泄物回収具を提供することを目的としている。
【課題を解決するための手段】
【０００６】
本発明の排泄物回収具は、使用者の尻部に装着される装着具と、肛門から排泄された便を収納する回収パックと、前記回収パックを固定した状態で前記装着具に保持され、使用者に接する部位に薄葉状のティッシュ部を有する回収パックアダプターとを備えることを特徴としている。
この排泄物回収具では、回収パックの回収時に肛門付近の汚れをティッシュ部で拭き取ることができる。
【０００７】
また、本発明の排泄物回収具は、孔の周囲に突縁が形成された便通過孔を有し、この便通過孔が肛門に対向するように使用者の尻部に装着される装着具と、肛門から排泄された便を収納する回収パックと、前記装着具の便通過孔の内側に配置される筒状部を有し、この筒状部の収縮性を有する一端が便通過孔の突縁に着脱可能に被着され、筒状部の他端に回収パックが固定される回収パックアダプターと、を備え、回収パックアダプターの筒状部の一端に薄葉状のティッシュ部が配置され、回収パックアダプターを結合した装着具を使用者の尻部に装着したとき、ティッシュ部が肛門の周囲に接することを特徴としている。
この排泄物回収具では、回収パックと回収パックアダプターとが便と共に廃棄され、装着具は再使用される。
【０００８】
また、本発明の排泄物回収具では、回収パックアダプターを装着具から引き抜いて回収パックを回収するとき、回収パックアダプターの筒状部の一端が収縮して筒状部の開口が閉鎖され、且つ、ティッシュ部により肛門付近が拭われる。
そのため、回収パックの回収時に、回収パックに通じる開口が閉じ、同時に肛門付近の汚れが拭き取られる。
【０００９】
また、本発明の排泄物回収具では、前記回収パックアダプターが、さらに、回収パックの内側を拡げて便の入り込むスペースを確保する拡開部材を備えるように構成しても良い。
こうすることで、排泄された便が回収パックに入り易くなる。
【００１０】
また、本発明の排泄物回収具では、前記装着具を、柔軟性を有する素材で成形し、前記便通過孔の内側に、該便通過孔の潰れを防止する、剛性を有する孔形状保持部材を備えるように構成することもできる。
こうすることで、装着具を身体への当たりが柔らかい柔軟素材で成形した場合でも、便通過孔が潰れて便の通過が阻害される事態を防止できる。
【００１１】
また、本発明の排泄物回収具では、前記孔形状保持部材が、前記便通過孔の肛門に対向しない側の端部から突出して把持が可能な操作部を有し、前記回収パックアダプターの筒状部が、前記孔形状保持部材の内側に配置されて、前記孔形状保持部材との間で前記回収パックを挟持し、前記回収パックアダプターを前記装着具から引き抜くとき、前記孔形状保持部材の操作部が把持されて、当該孔形状保持部材と前記回収パックアダプターとが共に前記装着具から引き抜かれるように構成することもできる。
こうすることで、回収パックアダプター及び回収パックを装着具に装着するときは、回収パックアダプター及び回収パックを孔形状保持部材内にセットして、この孔形状保持部材を装着具の便通過孔内に装着し、また、それらの回収時には、孔形状保持部材を便通過孔から引き抜くことによって、回収パックアダプター及び回収パックを取り出すことができるから、操作性が向上する。
【００１２】
また、本発明の排泄物回収具は、前記装着具が、前記便通過孔に連なる後方部材と前方部材とを備え、前記後方部材が、人体の尻部の形状に沿った断面形状を有し、前記前方部材が、先端に紐状体を挿通する溝を有している。
この後方部材及び前方部材の各先端に、身体への固定手段が設けられる。
【００１３】
また、本発明の排泄物回収具は、前記後方部材の先端が、二つの分岐部に分岐して、前記後方部材が全体としてＹ字形状を有し、前記分岐部の各々が左右の臀部に当接するように構成することもできる。
使用者が仰向けに寝たときに、後方部材や、それに取付けたベルト等が背骨の下に来ると、使用者は苦痛を覚える。後方部材をＹ字形状とすることにより、こうした苦痛を回避できる。
【００１４】
また、本発明の排泄物回収具は、さらに、便の排泄を検知する検知手段と、前記検知手段で検知された情報を無線信号により送信する無線通信モジュールとを具備し、前記装着具の前方部材に、前記無線通信モジュールを収納するための孔を設けることとしても良い。
この排泄物回収具は、便が排泄されたとき、それを検知手段及び無線通信モジュールを通じて、介護者に知らせることができ、便の速やかな回収が可能になる。そのため、悪臭の拡散を防止できる。
【００１５】
また、本発明の排泄物回収具では、前記検知手段を、前記装着具の便通過孔に臨む位置に配置することが可能である。
この場合、検知手段として、温度センサ、においセンサ、静電容量センサ、超音波センサ等を用いることができる。
【００１６】
また、本発明の排泄物回収具では、前記検知手段を、前記回収パックアダプターの筒状部の内部に配置し、前記検知手段の検知情報を読み取る手段を前記装着具の便通過孔に臨む位置に配置するようにしてもよい。
この場合、湿度センサ等を接続したＲＦＩＤタグを回収パックアダプターの内部に配置し、そのセンサの検知情報を読み取って無線通信モジュールから送信することになる。
【００１７】
また、本発明の排泄物回収具は、前記装着具の後方部材の先端が、取付部材を介して、使用者の胴に回したベルトに結合され、前記前方部材の溝に通した紐状体が前記ベルトに係止されて、前記装着具が使用者の尻部に装着されるように構成することができる。
こうした場合、使用者の寝返り等の動きで装着具がずれることが少なくなる。また、ベルトに対する紐状体の係止位置や取付部材の係止位置を調節すれば、どのような体形の人でも、この排泄物回収具を装着することができる。
【００１８】
また、本発明の排泄物回収具は、前記回収パックアダプターが、一端に前記回収パックが結合され、他端に伸縮性を有する前記ティッシュ部が設けられた筒状体で構成され、前記装着具が、前記回収パックアダプターが内側に配置される便通過孔と、前記回収パックアダプターの前記ティッシュ部が押し広げられ、反転されて係合される突縁と、当該装着具をおむつに設けられた孔に固定するための固定手段と、を有し、前記おむつを穿いた使用者の尻部に前記装着具の前記突縁が当接して前記ティシュ部が肛門の周囲に接触し、前記回収パックが、前記おむつの外部に露出するように構成することができる。
この排泄物回収具は、使用者におむつを穿かせたときに、使用者の肛門の位置に装着具が来る。また、便通過孔の大きさを制限する要因がないため、便通過孔を十分に拡げることができる。
【００１９】
また、本発明のおむつに固定する排泄物回収具は、前記装着具を、前記おむつの内側に配置される内在部材と、前記おむつの外側から当該おむつの前記孔に挿入されて前記内在部材に係合する挿入部材とで構成し、前記内在部材は、前記挿入部材が挿入される第一筒状部と、前記第一筒状部の尻部側に設けられた尻部当接用の皿状部と、前記第一筒状部の反対側に設けられた前記固定手段を構成する第一鍔部と、を有し、前記挿入部材は、前記便通過孔を備えると共に一端に前記突縁を備えた第二筒状部と、前記第二筒状部の他端に設けられた前記固定手段を構成する第二鍔部と、を有し、前記内在部材の第一筒状部の内面と前記挿入部材の第二筒状部の外面との接触により前記挿入部材が前記内在部材に係合し、前記内在部材の第一鍔部と前記挿入部材の第二鍔部とが前記おむつの前記孔の周辺を挟み込むことで前記装着具が前記おむつの孔に固定されるように構成することができる。
この排泄物回収具では、回収パックを固定した回収パックアダプターを、挿入部材の便通過孔に挿通し、押し広げたティッシュ部を反転させて挿入部材の突縁に係合させることにより、挿入部材に回収パックアダプター及び回収パックを固定する。次いで、この挿入部材をおむつの孔から挿入し、内在部材に係合させる。
【００２０】
また、本発明のおむつに固定する排泄物回収具では、前記内在部材の皿状部に、使用者の身体の前側に対応する前方部分に切除部を形成し、使用者の身体の後ろ側に対応する後方部分に切溝を形成し、前記皿状部が前記切除部及び切溝により左右に分離されるように構成することができる。
この皿状部は、万一、排泄された便が便通過孔の外に流れ出た場合でも、周囲に広がるのを防いでいる。皿状部の切除部は、小便の排泄を妨げないために設けられている。また、皿状部は、切除部と切溝とで左右に二分され、それぞれの部分が自由に変形できるため、尻の形状にフィットする。
【００２１】
また、本発明のおむつに固定する排泄物回収具は、前記装着具を、前記便通過孔を備えると共に一端に前記突縁を備えた第三筒状部と、前記第三筒状部の他端に設けられた前記固定手段を構成する固定板と、前記固定板に固着された面ファスナーと、で構成し、前記第三筒状部を前記おむつの外側から当該おむつの前記孔に挿入し、前記固定板を前記面ファスナーで前記おむつの外面に結合して、前記装着具を前記おむつの孔に固定するように構成することができる。
この排泄物回収具は、使用者がおむつを穿いたままの状態でセットすることができる。
【００２２】
また、本発明のおむつに固定する排泄物回収具では、前記挿入部材の前記突縁を備えた端部、または、前記第三筒状部の前記突縁を備えた端部において、使用者の身体の前側に対応する前方部分、及び、使用者の身体の後ろ側に対応する後方部分を、山型に成形するようにしても良い。
こうした成形により、挿入部材または第三筒状部の端部が肛門付近の体形にフィットするため、排泄された便が装着具の外に流れ出るのを防止できる。
【発明の効果】
【００２３】
本発明の排泄物回収具は、使用後に全体を廃棄する従来の介護用使い捨て便器や紙オムツと異なり、装着具を繰り返し使用することができるため、廃棄資源の削減や、消耗品のコストの低減を図ることができる。
また、回収パックの回収時には、回収パックに通じる開口が閉じて排泄物の逆流が防止され、また、回収と同時に使用者の肛門付近がティッシュ部で拭き取られるため、回収作業が容易である。
【００２４】
本発明のおむつに固定する排泄物回収具は、おむつを穿くことで、肛門への正確な位置合わせが可能である。また、便通過孔を大きく設定することが可能であるため、肛門と装着具との位置ずれを回避でき、また、排泄された便を速やかに回収パックに送ることができる。
また、この排泄物回収具の装着具は、使用者の尻の部分にだけ接触し、使用者の腰周りや背中には、ソフトに構成されたおむつ以外の部材が接触しない。そのため、長時間装着しても、使用者に身体的な苦痛が生じない。
【発明を実施するための最良の形態】
【００２５】
（第１の実施形態）
本発明の排泄物回収具の第１の実施形態について、図面を用いて説明する。
図１は、この排泄物回収具の断面図であり、図７は、この排泄物回収具を使用者に装着した状態を示す図である。図７（ａ）は断面図、図７（ｂ）は背面図、また、図７（ｃ）は前面図である。また、図１１（ａ）（ｂ）は、この排泄物回収具を装着した使用者（幼児）が寝ている状態を模式的に表した図である。また、図２、図３、図４、図５、図６は、この排泄物回収具の各部品を個別に示す図であり、図８、図９、図１０は、部品の変形例を示す図である。
この排泄物回収具は、使用者に装着する装着具１０と、便収納用の回収パック３０と、回収パック３０を装着具１０に取り付けるための回収パックアダプター２０とを有している。
【００２６】
図２は、装着具１０の形状を示している。図２（ａ）は平面図、図２（ｂ）は図２（ａ）のＡ−Ａ’における断面図、また、図２（ｃ）は図２（ｂ）のＢ−Ｂ’における断面図である。
この装着具１０は、長円形状の便通過孔１１と、使用者５０の背側５１（図７）に装着される後方部材１４と、先端が使用者５０の前側５２（図７）に導出される前方部材１５とを有している。便通過孔１１の使用者に接触する側の周縁には、突縁１２が形成されている。突縁１２は、滑らかな曲面から成る表面を有し、突縁１２の外周の根元には、くびれ１３が形成されている。また、便通過孔１１の内周下方には、後述する孔形状保持部材４０（図３）を係止する溝１８が形成されている。
後方部材１４は、尻の割れ目に嵌まるように、尻と接触する側に凸を成す山形の断面形状を有している（図２（ｃ））。また、後方部材１４の先端の外側には、メカニカルファスナーなどの面ファスナー１７が固定されている。この面ファスナー１７は、図７に示すように、後方部材１４の先端を、後部取付ベルト６２を介して、使用者５０の胴に回したベルト６０に結合するために使われる。
【００２７】
面ファスナーは、よく知られているように、ループ面のループとフック面のフックとが引っ掛かって両面の結合が行われる。そのため、例えば、後方部材１４及び胴ベルト６０には面ファスナーのループ面を固定し、後部取付ベルト６２には面ファスナーのフック面を固定することにより、後部取付ベルト６２を介して、後方部材１４の先端を胴ベルト６０に結合することができる。
【００２８】
一方、前方部材１５の先端には、紐状の前部取付ベルト６１（図７）を通す溝１６が形成されており、溝１６を通した前部取付ベルト６１の左右の先端が胴ベルト６０に固定される。
なお、この場合にも、面ファスナーを使って前部取付ベルト６１及び胴ベルト６０の結合が行われる。例えば、左右の前部取付ベルト６１の先端には所定長さの面ファスナーのフック面を固定し、他方の胴ベルト６０にはループ面を固定して、前部取付ベルト６１の左右の先端を胴ベルト６０に固定する。このようにすると、その固定位置を、面ファスナーのフック面の長さの範囲内で調節することができる。
【００２９】
装着具１０は、柔軟性を持つポリエチレン等の合成樹脂で一体成形されており、変形可能である。そのため、後方部材１４は、使用者の尻の割れ目に密着させて使用者の体の上方に導出することができ、前方部材１５は、使用者の股に沿わせて前方に引き出すことができる。また、後方部材１４の先端１７を、後部取付ベルト６２を介して胴ベルト６０に結合し、且つ、前方部材１５の溝１６に通した前部取付ベルト６１の左右を弛まないように胴ベルト６０に固定すると（図７）、便通過孔１１の突縁１２が肛門５４の周囲に密着する。なお、後述するように、この排泄物回収具の使用時には、回収パックアダプター２０の可撓性筒状部２２が、便通過孔１１の突縁１２を覆うように装着具１０に装着される（図１）。そのため使用時には、可撓性筒状部２２が肛門５４の周囲に密着することになる。
【００３０】
また、この装着具１０は、軟質な素材で形成されているため、前方部材１５及び後方部材１４に引張り力が作用すると、便通過孔１１が変形して、孔の面積が小さくなる可能性がある。図３は、便通過孔１１の変形を防ぐための孔形状保持部材４０を示している。図３（ａ）は断面図、図３（ｂ）は図３（ａ）の下方から見た底面図である。孔形状保持部材４０は、剛性を持つプラスチック等で成形された、断面が長円の筒状体であり、下方が僅かに拡がり、下縁に係合用の鍔４１を有している。この孔形状保持部材４０は、便通過孔１１の内側に挿入して、鍔４１を便通過孔１１の溝１８に係止することによって便通過孔１１内に装着される。
【００３１】
なお、この孔形状保持部材４０は、図８（ｂ）の変形例に示すように、筒の中央に括れを持ち、下縁に鍔４１を持つ形状の筒状体とすることもできる。この場合、装着具１０の便通過孔１１には、図８（ａ）に示すように、孔形状保持部材４０の筒形状に合わせて、孔の中央に膨らみを持たせる。図８（ｃ）は、軟質素材で形成された装着具１０の便通過孔１１を変形させながら、便通過孔１１に孔形状保持部材４０を挿入し、装着した状態を示している。孔形状保持部材４０は、筒中央の括れが便通過孔１１の膨らみに係合し、また、鍔４１が便通過孔１１の下端に当接することによって、便通過孔１１内に安定的に位置決めされる。この構成では、便通過孔１１に孔形状保持部材４０を係止するための溝１８を設ける必要がない。
また、孔形状保持部材４０を用いる代わりに、装着具１０の一体成形時に、便通過孔１１の内周に硬質樹脂を二層成形することにより、便通過孔１１の剛性を確保するようにしても良い。
【００３２】
この排泄物回収具では、装着具１０の全長を約１６０ｍｍ、便通過孔１１の短軸方向の内径を２８ｍｍ、長軸方向の内径を５４ｍｍ、孔の深さを３４ｍｍに設定している。このように便通過孔１１の形状を長円にすれば、使用者の体形が異なる場合でも、便通過孔１１を肛門に対向させることができる。
【００３３】
図４は、装着具１０から取り外した状態の回収パックアダプター２０の断面図を示している。この回収パックアダプター２０は、装着具１０から取り外しても筒形状を維持する筒体部２１と、装着具１０から取り外すと筒形状が維持できない可撓性筒状部２２と、可撓性筒状部２２の端部に結合されたティッシュ部２３と、回収パック３０の内側を拡げるための拡開部材２６とを備えている。なお、特許請求の範囲で言う「筒状部」は、筒体部２１と可撓性筒状部２２とを併せたものを指している。
【００３４】
筒体部２１は、圧縮して剛性を付与した厚紙等で成形されている。筒の断面は装着具１０の便通過孔１１と同様の長円形であり、筒の長さは便通過孔１１の深さよりも長い。そのため、回収パックアダプター２０を装着具１０に装着した状態において、筒体部２１の下部は、便通過孔１１から突出する（図１）。この筒体部２１の下部の外側には、回収パック３０を固定するための係止部２５が設けられており、また、下部の内側には拡開部材２６の端部が固定されている。
一方、可撓性筒状部２２は、伸縮性を持たせるために複数本の細いゴム糸等を平行に縫い込んだ軟質紙によって形成されており、筒の径方向に伸縮性を有し、径を拡げる力が作用していない状態では、筒孔が閉じている。
可撓性筒状部２２の一端は、筒体部２１の外周に接着等で固着され、また、他端の周縁には、ちり紙等から成るティッシュ部２３が接着または縫着されている。このティッシュ部２３を設けた側の可撓性筒状部２２の筒孔は、図４に示すように、回収パックアダプター２０を装着具１０から取り外した状態で、可撓性筒上部２２の伸縮性のために閉じている。
【００３５】
図５は、筒体部２１の下端に結合された拡開部材２６を示している。図５（ａ）は断面図、図５（ｂ）は正面図である。拡開部材２６は、緩やかなカーブを描く舌片形状が維持できるように、圧縮して剛性を付与した厚紙等で形成され、回収パック３０を傷つけないように、角が丸められている。
図６は、回収パック３０を示している。この回収パック３０は、紙で形成されており、袋状の便収納部３１と、便収納部３１への入口３２とを具備している。回収パック３０の入口３２を回収パックアダプター２０の筒体部２１の係止部２５に係止すると、筒体部２１に固定された拡開部材２６が便収納部３１の内部に入り込む。
【００３６】
次に、この排泄物回収具の組立方法について説明する。
先ず、回収パック３０を回収パックアダプター２０に装着する。そのために、回収パック３０の入口３２から拡開部材２６及び筒体部２１の下端を挿入し、紐や接着剤を用いて係止部２５の位置で回収パック３０の入口３２を筒体部２１に固定する。
次いで、回収パックアダプター２０の筒体部２１の下部を掴み、予め孔形状保持部材４０が装着された装着具１０の便通過孔１１に、その下側から可撓性筒状部２２の側を挿し込む。可撓性筒状部２２の先端が便通過孔１１の上方から現れると、可撓性筒状部２２の先端を拡げて、便通過孔１１の周縁に設けられた突縁１２に引っ掛ける。この操作により、突縁１２は、可撓性筒状部２２で覆われ、また、突縁１２の周囲がティッシュ部２３で囲まれる。また、便通過孔１１内の可撓性筒状部２２が筒状に開口し、筒体部２１と共同して、回収パック３０への便通過路を便通過孔１１の内部に形成する。
図１は、こうして組立てられた排泄物回収具を示している。
【００３７】
次に、この排泄物回収具の使用方法について説明する。
図７に示すように、使用者５０の腰に胴ベルト６０を巻き付ける。次に、装着具１０の後方部材１４が使用者５０の背側５１に、前方部材１５が腹側５２に来るように排泄物回収具を使用者５０の股にあてがい、装着具１０の便通過孔１１が肛門５４と対向するように装着具１０の位置を調整する。
次に、装着具１０の後方部材１４を尻の割れ目に沿わせて背中の方向に引き出し、後方部材１４の先端に固定された面ファスナー１７のループ面と後部取付ベルト６２のフック面とを結合し、また、後部取付ベルト６２のフック面と胴ベルト６０のループ面とを結合して、後方部材１４の先端を、後部取付ベルト６２を介して胴ベルト６０に固定する。
【００３８】
また、装着具１０の前方部材１５の溝１６に前部取付ベルト６１を通し、この前部取付ベルト６１の左右の先端に取り付けた面ファスナーのフック面を、前部取付ベルト６１に弛みが生じないように胴ベルト６０のループ面に固定する（図７）。
この操作で、装着具１０の便通過孔１１を囲む突縁１２が、この突縁１２に被着された回収パックアダプター２０の可撓性筒状部２２を介して肛門５４の周囲に密着し、ティッシュ部２３が肛門５４の周囲に接触する。
こうして、大便回収の準備が整う。図１１に示すように、このように排泄物回収具を装着した上から、排尿を吸収するためのオムツ６３を使用者５０に装着する。
【００３９】
使用者５０が排泄した便は、回収パックアダプター２０の可撓性筒状部２２及び筒体部２１の筒内を通り、最終的に、拡開部材２６によってスペースが確保された回収パック３０の中に収納される。
排泄物の回収は、装着具１０の便通過孔１１から突出した回収パックアダプター２０の筒体部２１の下部を掴み、回収パックアダプター２０を装着具１０から引き抜くことによって実行する。この操作により、便通過孔１１周縁の突縁１２に引っ掛かっていた可撓性筒状部２２の先端が外れて収縮し、可撓性筒状部２２の開口が閉じる。同時に、突縁１２の周囲を囲んでいたティッシュ部２３が、可撓性筒状部２２の収縮によって引き寄せられ、その過程で肛門５４の周りの汚れを拭き取る。
装着具１０から抜き取った回収パックアダプター２０及び回収パック３０は、排泄物とともに廃棄する。
【００４０】
このように、この排泄物回収具では、装着具１０の便通過孔１１を囲む突縁１２が、回収パックアダプター２０の可撓性筒状部２２を介して、肛門５４の周囲に密着するため、排泄された便が回収パックアダプター２０の筒体の外に散逸しない。そのため、肌への便の付着による不快感や、肌のただれ、痒み等が回避できる。
また、この突縁１２を覆う可撓性筒状部２２は、柔軟性を持つ素材で構成され、この可撓性筒状部２２が肌に密着するため、使用者に違和感や不快感を与えない。
また、便通過孔１１の形状を長円形あるいは楕円形に設定しているため、装着具１０の装着位置が前後に多少ずれても、便通過孔１１は、肛門に対向することができる。
また、この排泄物回収具では、回収パック３０と回収パックアダプター２０とが排泄された便と共に廃棄されるが、装着具１０は、繰り返し使用される。そのため、廃棄資源を減らすことができ、また、消耗品のコストを引き下げることができる。
【００４１】
また、回収パック３０の回収時に、回収パック３０に通じる開口が閉じるため、回収作業中に排泄物がこぼれ出る虞が無い。また、回収パック３０の回収時に、肛門付近の汚れがティッシュ部２３で拭き取られる。そのため、回収作業が容易であり、回収時の作業負担が軽減される。
回収パック３０及び回収パックアダプター２０は、紙を素材としているため、排泄物と共にトイレに流して処理することができる。
また、この排泄物回収具では、装着具１０の後方部材１４が人体の尻の割れ目に嵌まる断面形状を有しているため、装着具１０の装着位置が正しく設定される。また、使用者が装着中に寝返り等で体を動かした場合でも、装着位置がずれ難い。
【００４２】
また、この排泄物回収具は、装着具１０の後方部材１４の側を胴ベルト６０に取り付ける後部取付ベルト６２や、前方部材１５の側を胴ベルト６０に取り付ける前部取付ベルト６１の胴ベルト６０への結合位置を調節すれば、どのような体形の人でも装着することが可能である。
また、この排泄物回収具の拡開部材２６は、回収パック３０内の空間を拡げ、回収パック３０への排泄物の円滑な収納を可能にしている。また、回収パック３０の空間を維持することで、排泄物の逆流防止にも貢献している。
また、この排泄物回収具の孔形状保持部材４０は、必要な断面積の便通過路を確保するために貢献している。
【００４３】
なお、前述した排泄物回収具の構造、寸法、素材等は、全て例示であって、本発明は、それだけに限定されるものではない。
回収パックアダプター２０の可撓性筒状部２２の伸縮性は、図９に示すように、可撓性筒状部２２の端部に輪ゴム２４を取り付けることによって実現しても良い。この場合、図１０に示すように、回収パックアダプター２０を装着具１０に装着する際に、輪ゴム２４を拡げて、便通過孔１１の周縁に設けられた突縁１２のくびれ１３に引っ掛ける。
【００４４】
また、輪ゴム２４の代わりに、糸を用いて可撓性筒状部２２の開口を収縮させることもできる。この場合、可撓性筒状部２２の開口の周りに糸を廻らし、この糸を、投げ縄のように、糸の一端を引いたときに糸の輪が絞まるように形成する。そして、その糸の一端を便通過孔１１と回収パックアダプター２０との隙間を通して装着具１０の下側から引き出し、回収パックアダプター２０を装着具１０に装着する時には、可撓性筒状部２２を便通過孔１１の突縁１２に被せた状態で糸の一端を引き、糸の輪を絞る。また、回収時には、回収パックアダプター２０を装着具１０から引き外した後、糸の一端を引き、可撓性筒状部２２の開口を締める。
【００４５】
また、前部取付ベルト６１に代えて紐を使用し、左右の紐の先を胴ベルト６０に結んだり、胴ベルト６０に挟みこんだりして、装着具１０の前方部材１５の側を体に固定することもできる。
また、面ファスナーの代わりに接着テープ等を用いて後部取付ベルトや前部取付ベルトの結合を行うことも可能である。
また、回収パックアダプター２０の筒体部２１は、ポリエチレン等の防水性樹脂フィルムに不織布を重ね合わせた、形状維持性を持つ複合素材で形成し、形状維持性を有しない可撓性筒状部２２は、ポリエチレン等の柔軟な防水性樹脂フィルムだけで形成するようにしても良い。
また、回収パック３０は、介護用オムツと同様に、不織布から成る透水性シートと吸水材とポリエチレン等の防水性樹脂フィルムとを積層した複合素材で形成し、あるいは、ビニールやポリエチレン等だけで形成することも可能である。
また、拡開部材２６は、植物を原料とし、微生物によって分解される乳酸プラスチック等で形成しても良い。
また、ティッシュ部２３は、柔らかい布や多孔性ビニール等を用いて形成しても良い。
【００４６】
（第２の実施形態）
本発明の第２の実施形態に係る排泄物回収具は、回収パック及び回収パックアダプターの装着具への装着や回収を、孔形状保持部材とともに行うように構成している。
図１２は、この孔形状保持部材を示す図であり、図１２（ａ）は、先端側の平面図、図１２（ｂ）は断面図、図１２（ｃ）は、後端側の平面図である。図１３は、回収パックアダプターの筒体部を示す図であり、図１３（ａ）は、先端側の平面図、図１３（ｂ）は断面図、図１３ｃ（ｃ）は、後端側の平面図である。図１４は、回収パック及び回収パックアダプターの装着具への装着手順を示す図である。
なお、装着具の構成は、第１の実施形態と変わりがない。
【００４７】
孔形状保持部材４００は、図１２に示すように、装着具１０の便通過孔１１（図２）に下方から挿入できるように、先端側に便通過孔１１の内面形状に倣うテーパ状外面４０１を有し、後端側に凹凸が形成された外面４０２を有している。この外面４０２は、孔形状保持部材４００が便通過孔１１に装着された状態で、便通過孔１１から突出する（図１４（ｃ）（ｄ））。この外面４０２は、孔形状保持部材４００を便通過孔１１に挿入したり抜き取ったりするときの操作部４０２として設けられており、指との接触抵抗を大きくして操作がし易いように表面に凹凸が形成されている。
また、孔形状保持部材４００の内部には、中ほどに円環状の突出部４０３が設けられている。この突出部４０３より先端側にはテーバ状の内面があり、先細になっている。
この孔形状保持部材４００は、第１の実施形態と同様に、剛性を持つプラスチック等で成形される。
【００４８】
回収パックアダプターの筒体部２１０は、図１３に示すように、紙を圧縮して、径の異なる３つの筒状部２１１、２１２、２１３の連続する形状に成形されている。筒状部２１１の外径は、孔形状保持部材４００の先端の内径よりやや小さい。筒状部２１２の外径は、孔形状保持部材４００の突出部４０３の内径より小さく、孔形状保持部材４００の先端の内径よりやや大きい。筒状部２１３の外径は、孔形状保持部材４００の後端側の内径よりやや小さく、前記突出部４０３の内径より大きい。
この筒体部２１０は、孔形状保持部材４００の操作部４０２の方向から筒状部２１１を先頭に挿入され、筒状部２１３が孔形状保持部材４００の突出部４０３に当接するまで差し込まれる。筒状部２１３が突出部４０３に当接したとき、筒体部２１０の先頭の筒状部２１１は、孔形状保持部材４００から突き出ている。
【００４９】
この排泄物回収具の回収パック３００は、図１４の手順で装着具１０に装着される。
図１４（ａ）に示すように、筒体部２１０の筒状部２１１には、可撓性筒状部２２０が予め固着されている。可撓性筒状部２２０の構成は、第１の実施形態の可撓性筒状部２２と変わりがない。この筒体部２１０の筒状部２１３を回収パック３００に差し込む（図１４（ａ））。
次に、図１４（ｂ）に示すように、可撓性筒状部２２０が固着された筒体部２１０と回収パック３００とを孔形状保持部材４００に挿入する。
筒体部２１０の筒状部２１３が孔形状保持部材４００の突出部４０３に当接するまで筒体部２１０を孔形状保持部材４００に挿入すると、回収パック３００は、筒状部２１３と孔形状保持部材４００との間で圧縮、挟持され、また、筒状部２１２が孔形状保持部材４００のテーパ状の内面に摺接する。そのため、孔形状保持部材４００、筒体部２１０及び回収パック３００は、図１４（ｂ）の状態に一体化される。
【００５０】
次に、図１４（ｃ）に示すように、孔形状保持部材４００の操作部４０２を掴み、筒体部２１０及び回収パック３００と一体化した孔形状保持部材４００を装着具１０の便通過孔１１に挿入する。孔形状保持部材４００は、テーパ状外面４０１が便通過孔１１の内面に摺接するまで、便通過孔１１内に挿入される。このとき、可撓性筒状部２２０の先端が便通過孔１１の上方から現れるので、第１の実施形態と同様に、可撓性筒状部２２０の先端を拡げて、便通過孔１１の周縁に設けられた突縁１２に引っ掛ける（図１４（ｄ））。この操作で、孔形状保持部材４００は、筒体部２１０及び回収パック３００とともに、装着具１０に係止される。
【００５１】
一方、筒体部２１０及び回収パック３００を装着具１０から回収するときは、孔形状保持部材４００の操作部４０２を掴んで、孔形状保持部材４００を便通過孔１１から引き出す。このとき、筒体部２１０は、孔形状保持部材４００の突出部４０３に筒状部２１３が押されて、孔形状保持部材４００とともに引き出され、それに伴い、可撓性筒状部２２が引っ張られる。そのため、便通過孔１１周縁の突縁１２に引っ掛かっていた可撓性筒状部２２の先端が外れて、筒体部２１０及び回収パック３００が孔形状保持部材４００とともに装着具１０から引き出される。
なお、このとき、第１の実施形態と同様に、可撓性筒状部２２の開口が閉じた状態となり、また、ティッシュ部２３が肛門の周りの汚れを拭き取る。
【００５２】
次いで、図１４（ｂ）から図１４（ａ）の順序で孔形状保持部材４００を外した後、筒体部２１０と回収パック３００とを分離して、それらを適切な廃棄先に廃棄する。また、孔形状保持部材４００は、新たな筒体部２１０及び回収パック３００を装着具に装着するために使用する。
このように、この排泄物回収具は、機械的強度が高い孔形状保持部材４００を掴んで筒体部２１０及び回収パック３００の装着や回収操作ができるため、操作が安定化し、第１の実施形態に比べて、良好な操作性を得ることができる。
【００５３】
（第３の実施形態）
本発明の第３の実施形態に係る排泄物回収具は、装着具の後方部材をＹ字形状に成形している。
図１５（ａ）は、この装着具の断面図（図１５（ｂ）のＡ−Ａ断面図）、図１５（ｂ）は、正面図である。また、図１６は、この排泄物回収具を装着した使用者の背中側を示している。
なお、この排泄物回収具の後方部材以外の構成は、第１の実施形態や第２の実施形態と変わりがない。
【００５４】
この装着具は、ウレタン樹脂等の柔軟性を持つ合成樹脂で一体成形されており、図１５に示すように、後方部材１４０は、その先端が二つに分岐して、全体としてＹ字形状を成している。Ｙ字形状に分岐した分岐部１４１の各々は、図１６に示すように、左右の臀部に当接し、各分岐部１４１の先端は、後部取付ベルト６２０を介して胴ベルト６０に固定される。
【００５５】
このように後方部材１４０をＹ字形状に成形したのは、仰向けに寝た状態の使用者の苦痛を軽減するためである。
人間の背骨は、側面から見ると、Ｓ字状に湾曲しており、仰向けに寝た状態で、胴部分の背骨は、床面との間に多少の隙間を有しているが、尻に近い側の背骨は床面に接している。そのため、この部分の背骨が、後方部材１４０の延長部分や後部取付ベルト６２０の上に乗り上げると、激しい痛みに見舞われる場合がある。
この排泄物回収具では、後方部材１４０をＹ字形状に成形し、尻に近い背骨が、後方部材１４０の延長部分や後部取付ベルト６２０と重ならないようにしているため、こうした使用者の苦痛を回避することができる。
【００５６】
（第４の実施形態）
本発明の第４の実施形態は、便の排泄を介護者に知らせることができる排泄物回収具に関する。
この排泄物回収具は、図１７（ａ）に示すように、装着具１０の前方部材１５に孔７０が設けられており、図１７（ｂ）に示すように、この孔７０に無線通信モジュール７１が収容されている。また、装着具１０の便通過孔１１の内壁に溝７９が設けられており、この溝７９に臨んで温度センサ等のセンサ７２が配置され、装着具１０に埋め込まれた導線７３がセンサ７２と無線通信モジュール７１とを接続している。その他の構造は、第１の実施形態と変わりがない。
【００５７】
無線通信モジュール７１は、図１８に示すように、アンテナ７１７を通じて無線信号を送受信する無線回路７１１と、送受信信号を変復調するためのデジタル信号処理を行うデジタル処理部７１２と、センサ７２の検知信号から便の排泄を識別するマイコン７１３と、センサ７２の検知信号をマイコン７１３に伝える信号インタフェース７１４と、所定の周波数で発振する発振器７１５と、ボタン電池から成る電源７１６とを具備しており、無線回路７１１、デジタル処理部７１２、マイコン７１３及び信号インタフェース７１４が１チップのＬＳＩに収められ、それにアンテナ７１７、発振器７１５及び電源７１６が外付けされて、全体で１円玉程度の大きさに構成されている。
【００５８】
センサ７２は、図１９（ａ）に模式的に示すように、長円形状を有する便通過孔１１の無線通信モジュール７１に近い側に配置されている。
無線通信モジュール７１のマイコン７１３は、所定時間間隔（例えば３秒間隔）でセンサ７２の検知情報を取得する。例えば、センサ７２が温度センサである場合、排泄された便が回収パックアダプター２０の筒体部２１を通過する際に、温度センサは、温度の上昇を検知する。マイコン７１３は、温度センサによって検知された温度の変化から便の排泄を識別すると、介護者の手元に置かれた無線通信装置８０に検出信号を送信する。この信号を受信した無線通信装置８０は、音や光、振動等でそれを介護者に伝える。
そのため、介護者は、排泄された便を直ぐに回収することができる。
【００５９】
センサ７２には、“におい”を感知する“においセンサ”等を用いることもできる。また、図１９（ｂ）に示すように、長円形状の便通過孔１１の短軸方向に一対の電極７４、７５を配置し、電極７４、７５間の静電容量の変化に基づいて、回収パックアダプター２０の筒体部２１での便の通過を検出することもできる。また、電極７４、７５の位置に超音波の送受信機を配し、一方の送信機７４から超音波を発振して他方の受信機７５で受信し、その受信信号の変化から、便の通過を検出するようにしても良い。
【００６０】
また、図２０（ｂ）に示すように、センサ７７に接続したＲＦＩＤタグ７６を使い捨ての回収パックアダプター２０の内部に配置し、ＲＦＩＤタグ７６への給電やＲＦＩＤタグ７６からの情報の読み取りを行う非接触通信アンテナ７８を装着具１０便通過孔１１の側に配置し、マイコン７１３が、非接触通信アンテナ７８で読み取った情報に基づいて便の排泄を識別するようにしても良い。
電池を持たないパッシブ形のＲＦＩＤタグ７６は、アンテナ７６２とＩＣチップ７６１とを具備し、非接触通信アンテナ７８からの電波から電力を生成して起動する。電波は所定時間間隔で発信し、電力を節約しても良い。
起動したＩＣチップ７６１は、センサ７７の検知信号をデジタルデータに変換してアンテナ７６２から送信する。この検知信号は、非接触通信アンテナ７８で受信されてマイコン７１３に送られ、マイコン７１３は、その検知信号の変化から便の排泄を識別すると、検出信号を無線通信装置８０に送信する。
【００６１】
この場合、センサ７７には、便の温度を検知する温度センサや、便に含まれた水分を検知する湿度センサ、アンモニアを検知する“においセンサ”等を用いることができる。
このように、この排泄物回収具は、装着者（被介護者）が便を排泄すると、それを介護者に知らせることができるため、速やかな便の回収が可能になり、悪臭の拡散を回避することができる。
【００６２】
（第５の実施形態）
第１〜４の実施形態の排泄物回収具の試作品を試してみると、次のような改良すべき点が見出された。
この排泄物回収具は、装着具に便通過孔を設けて、そこに筒状の回収パックアダプターを挿入しているが、この便通過孔の孔面積や回収パックアダプターの筒の断面積が小さいと、肛門が便通過孔から外れる虞があり、また、排泄された便が速やかに回収パックに到達しない虞がある。そのため、便通過孔の孔面積は、できるだけ広く設定する必要があるが、装着具を股に装着する構造では、便通過孔を大きくするために装着具の横幅を拡げると、装着具が股を圧迫し、長時間使用したときに苦痛が伴う。
また、肛門の位置が確認し難いため、肛門と便通過孔とを一致させて装着具を装着することが難しい。
また、装着具の先端に結びつけた紐や後端の延長部分を使用者の胴に回したベルトに結合する構成では、使用者が頻繁に寝返りを打ったときに装着具の位置がずれる虞がある。
また、装着具の後端の延長部分が身体の下敷きになっている状態が長時間続くと、この延長部分による局所的な圧迫により背中や腰に痛みが発生する。
【００６３】
第５の実施形態の排泄物回収具は、こうした点の改善を図っている。
図２１は、パンツ型おむつに固定した本発明の第１の実施形態に係る排泄物回収具の断面図であり、図２２は、この排泄物回収具の装着具を示す図、図２３は、この排泄物回収具をパンツ型おむつにセットする手順を示す図、図２４は、装着具の内在部材がパンツ型おむつに配置された状態を示す図、図２５は、回収パック及び回収パックアダプターが装着された挿入部材をパンツ型おむつに挿入するときの状態を示す図である。また、図２６、図２７、図２８は、この排泄物回収具で用いる回収パック及び回収パックアダプターを示す図である。
【００６４】
まず、回収パック及び回収パックアダプターについて説明する。
図２６に示すように、回収パック８３０は、折畳み可能な紙などで形成され、この回収パック８３０の口の部分に、厚い紙で成形された口形状保持部材８２１が接着される。回収パックアダプター８２０は、口形状保持部材８２１に被せる筒状部分と、伸縮性を有するティッシュ部８２３とを具備し、筒状部分が口形状保持部材８２１に接着される。ティッシュ部８２３は、柔軟性を有する紙などを重ね合わせて形成され、伸縮性を持たせるためにゴム糸などがリング状に縫い込まれている。
図２７（ａ）は、回収パックアダプター８２０に結合された回収パック８３０を示し、図２７（ｂ）は、この回収パック８３０を広げた状態を示している。また、図２８は、回収パックアダプター８２０と結合した回収パック８３０の断面図を示している。
【００６５】
この排泄物回収具の装着具は、図２２に示すように、パンツ型おむつの内側に配置される内在部材８１０と、パンツ型おむつの外側からパンツ型おむつの孔に挿入されて内在部材８１０に係合する挿入部材８４０とを有し、また、パンツ型おむつの孔を縁取る縁部材８５０がパンツ型おむつに固定される。この内在部材８１０及び挿入部材８４０は、軟質なゴム素材で成形され、縁部材８５０は硬質な合成樹脂で成形される。
内在部材８１０は、挿入部材８４０が挿入される筒状部８１４と、筒状部８１４の一方に設けられた皿状部８１３と、筒状部８１４の反対側に設けられた鍔部８１５とを有している。筒状部８１４の内面には、挿入部材８４０の外面と係合するリング状の凹凸襞（ひだ）が形成されている。皿状部８１３は、使用者の尻に当接して、排泄された大便が脇に漏れるのを防いでいる。皿状部８１３の前方部分には、小便の排泄を妨げないように切除部８１６が形成され、また、後方部分には切溝８１７が形成されている。そのため、皿状部８１３は、右側部分と左側部分とが独立して弾性変形し、使用者の尻に密着することができる。
【００６６】
挿入部材８４０は、筒状部８４１と、鍔部８４２とを有している。筒状部８４１の内側は、便通過孔８４５となる。筒状部８４１の外面には、内在部材８１０の内面の凹凸襞と係合するリング状の凹凸襞が形成されている。筒状部８４１の端縁（突縁）８４３には、後述するように、回収パックアダプター８２０のティッシュ部８２３が係合され、突縁８４３は、その状態で肛門の周囲に当接する。この突縁８４３の前方部分及び後方部分には、山型８４４が形成されているが、これは、突縁８４３を肛門の周囲の体形にフィットさせるために設けられている。
また、縁部材８５０は、外周にパンツ型おむつが入り込む凹溝８５１を有しており、図２１に示すように、パンツ型おむつの孔の周縁部材が凹溝８５１内に固定され、縁部材８５０で縁取られた孔が、パンツ型おむつに予め形成される。
図２３に示すように、装着具の内在部材８１０は、パンツ型おむつ８６０の内側からパンツ型おむつ８６０に設けられた孔８６２の位置に装着される（ａ）（ｂ）（ｃ）。
【００６７】
パンツ型おむつ８６０は、図２４、図２５に示すように、内側に体液を吸収するための吸収体（尿パッド）８６１が配置された市販の製品であり、ただ、肛門に対応する位置に孔８６２が設けられている点だけが相違している。
内在部材８１０は、鍔部８１５がパンツ型おむつ８６０の孔８６２を縁取る縁部材８５０に接するまで挿入される（図２３（ｃ））。図２４には、内在部材８１０が装着された状態のパンツ型おむつ８６０の内側を図示している。
【００６８】
図２３（ａ）（ｂ）に示すように、回収パック８３０と一体化された回収パックアダプター８２０は、挿入部材８４０に差し込まれ、図２３（ｂ）に示すように、伸縮性を持つティッシュ部８２３が挿入部材８４０の先端から突出すると、このティッシュ部８２３を押し広げ、反転させて挿入部材８４０の突縁８４３に引っ掛ける（図２３（ｃ））。こうして、回収パック８３０、回収パックアダプター８２０及び挿入部材８４０が一体化される。
なお、この状態において、回収パックアダプター８２０の一部は、挿入部材８４０の下方から露出しており、後述するように、回収パックの回収が、この露出した部分を掴んで行われる。
次に、図２３（ｄ）に示すように、挿入部材８４０がパンツ型おむつ８６０の孔８６２から挿入され、挿入部材８４０の鍔部８４２がパンツ型おむつ８６０の孔８６２を縁取る縁部材８５０に接するまで、内在部材８１０の筒状部８１４に差し込まれる。図２５は、回収パック８３０及び回収パックアダプター８２０と一体化された挿入部材８４０がパンツ型おむつ８６０の孔８６２に挿入されるときの様子を示している。
【００６９】
このとき、挿入部材８４０の外面の凹凸襞が内在部材８１０の内面の凹凸襞に係合し、挿入部材８４０は、内在部材８１０の内側に係止される。また、挿入部材８４０の鍔部８４２と内在部材８１０の鍔部８１５とが、パンツ型おむつ８６０の孔８６２に固定された縁部材８５０を挟みつけることにより、内在部材８１０及び挿入部材８４０から成る装着具が、パンツ型おむつ８６０に固定される。
このパンツ型おむつ８６０を使用者に穿かせた後、図２３（ｅ）に示すように、回収パック８３０が広げられる。
【００７０】
図２１は、使用者の尻８５０の位置に装着された排泄物回収具の断面を示している。肛門の周囲には、挿入部材８４０の突縁８４３が回収パックアダプター８２０のティッシュ部８２３を介して接触し、さらに、その周りに、内在部材８１０の皿状部８１３が接触する。そのため、排泄された便が、万一、挿入部材８４０の外側に流れ出た場合でも、皿状部８１３により、それ以上の拡散が抑えられる。
排泄された便は、回収パックアダプター８２０を通過して、回収パック８３０に収納される。
排泄物の回収は、挿入部材８４０から露出した回収パックアダプター８２０の部分を掴み、引き抜くことによって行われる。この操作により、挿入部材８４０の突縁８４３に引っ掛かっていたティッシュ部８２３が外れて収縮し、回収パックアダプター８２０の開口が閉じられる。また、ティッシュ部８２３は、収縮する過程で肛門の周りの汚れを拭き取る。
【００７１】
抜き取られた回収パックアダプター８２０及び回収パック８３０は、排泄物とともに廃棄される。
また、挿入部材８４０は、内在部材８１０から引き出され、新しい回収パックアダプター８２０及び回収パック８３０が装着された後に、再び、パンツ型おむつ８６０の孔８６２から挿入され、内在部材８１０に係止される。
【００７２】
このように、この排泄物回収具は、パンツ型おむつに固定されるため、使用者がパンツ型おむつを正しく穿くことにより、肛門に対向する適切な位置に装着される。
また、この排泄物回収具は、便通過孔を大きく設定することができるから、肛門と便通過孔との位置ずれが回避でき、また、排泄された便の回収パックへの円滑な移動が可能になる。
また、この排泄物回収具では、肛門の周囲にだけ装着具が接触し、使用者の腰や背中には、ソフトに構成されたパンツ型おむつ以外の異物が接触しないため、長時間装着した場合でも、使用者に身体的な苦痛が生じない。
【００７３】
また、この排泄物回収具は、便通過孔のさらに外側に皿状部を有しているため、排泄された便が、万一、便通過孔の外側に流れ出た場合でも、皿状部により、それ以上の拡散が抑えられる。
また、この排泄物回収具では、回収パックの回収時に、回収パックに通じる開口が、伸縮性を有するティッシュ部により閉じられるため、回収作業中に排泄物がこぼれ出る虞が無い。また、このとき、肛門付近の汚れがティッシュ部で拭き取られるため、回収作業が容易であり、回収時の作業負担が軽減される。
なお、前述した排泄物回収具の構造や素材等は、全て例示であって、本発明は、それだけに限定されるものではない。
【００７４】
（第６の実施形態）
図２９は、パンツ型おむつに固定した本発明の第６の実施形態に係る排泄物回収具の断面図であり、図３０は、この排泄物回収具の装着具を示す図である。
この排泄物回収具の装着具は、第１の実施形態の挿入部材８４０に相当する部材のみで構成され、パンツ型おむつへの固定が面ファスナーを使って行われる。なお、回収パック及び回収パックアダプターの構成は、第１の実施形態（図２６、図２７、図２８）と同じであり、また、パンツ型おむつの構成も第１の実施形態と変わりがない。
【００７５】
図３０に示すように、この装着具９００は、便通過孔を有する筒状部９０１と、この筒状部９０１の端縁（突縁）９０３の反対側に設けられた固定板９０２と、固定板９０２に固着された面ファスナー９０４とを有している。
この装着具９００には、回収パックと一体化された回収パックアダプターが、第１の実施形態の挿入部材８４０に対する場合と同様の手順で、装着される（図２３）。
回収パック及び回収パックアダプターが装着された装着具９００は、パンツ型おむつ８６０の孔から、固定板９０２が孔を縁取る縁部材８５０に接するまで挿入され、図２９に示すように、固定板９０２の面ファスナー９０４をパンツ型おむつ８６０の外面にくっ付けて、パンツ型おむつ８６０に固定される。
【００７６】
排泄物の回収は、装着具９００から露出した回収パックアダプター８２０の部分を掴み、引き抜くことによって行われる。このとき、装着具９００の突縁９０３に引っ掛かっていた回収パックアダプター８２０のティッシュ部８２３が外れて収縮し、回収パックアダプター８２０の開口が閉じられるとともに、ティッシュ部８２３により肛門の周りの汚れが拭き取られる。
抜き取られた回収パックアダプター８２０及び回収パック８３０は、排泄物とともに廃棄される。
また、装着具９００は、面ファスナー９０４をパンツ型おむつ８６０から外して、パンツ型おむつ８６０から引き出され、新しい回収パックアダプター８２０及び回収パック８３０が装着された後に、再び、パンツ型おむつ８６０の孔から挿入され、パンツ型おむつ８６０に面ファスナー９０４で固定される。
このように、この排泄物回収具は、使用者がおむつを穿いたままの状態でセットすることができる。
なお、第５及び第６の実施形態では、パンツ型おむつを使用する場合について説明したが、本発明は、それに限らず、パンツ型おむつを展開してテープなどで再係止できるようにした型式のおむつや、おむつカバーを使用するオープンタイプのおむつなど、各種のおむつに適用可能である。
【産業上の利用可能性】
【００７７】
本発明の排泄物回収具は、老人や病人、あるいは幼児等の被介護者における排泄物処理を、被介護者の不快を減らし、介護者の負担を減らし、且つ、資源の無駄を排して実行することができるものであり、多くの被介護者の利用が可能である。
【図面の簡単な説明】
【００７８】
【図１】本発明の第１の実施形態における排泄物回収具の断面図
【図２】本発明の第１の実施形態における排泄物回収具の装着具の形状を示す図
【図３】本発明の第１の実施形態における排泄物回収具の孔形状保持部材の形状を示す図
【図４】本発明の第１の実施形態における排泄物回収具の回収パックアダプターの形状を示す図
【図５】本発明の第１の実施形態における排泄物回収具の拡開部材の形状を示す図
【図６】本発明の第１の実施形態における排泄物回収具の回収パックの形状を示す図
【図７】本発明の第１の実施形態における排泄物回収具の装着状態を示す図
【図８】本発明の第１の実施形態における排泄物回収具の装着具及び孔形状保持部材の他の形状を示す図
【図９】本発明の第１の実施形態における排泄物回収具の回収パックアダプターの他の形状を示す図
【図１０】図９の回収パックアダプターの装着具への装着状態を示す図
【図１１】本発明の第１の実施形態における排泄物回収具の装着者が寝ている状態を示す図
【図１２】本発明の第２の実施形態における排泄物回収具の孔形状保持部材を示す図
【図１３】本発明の第２の実施形態における排泄物回収具の筒体部を示す図
【図１４】本発明の第２の実施形態における排泄物回収具の回収パック及び回収パックアダプターの装着具への装着手順を示す図
【図１５】本発明の第３の実施形態における排泄物回収具の装着具の断面図（ａ）と正面図（ｂ）
【図１６】図１５の排泄物回収具の装着状態を示す図
【図１７】本発明の第４の実施形態における排泄物回収具の平面図（ａ）と断面図（ｂ）
【図１８】図１７の無線通信モジュールの構造を示す図
【図１９】本発明の第４の実施形態における排泄物回収具のセンサの位置を示す図
【図２０】本発明の第４の実施形態における排泄物回収具に用いるＲＦＩＤタグと非接触通信アンテナとの位置を示す図
【図２１】本発明の第５の実施形態における排泄物回収具の断面図
【図２２】図２１の排泄物回収具の装着具を示す図
【図２３】図２１の排泄物回収具をパンツ型おむつにセットする手順を示す図
【図２４】図２１の排泄物回収具の内在部材がパンツ型おむつに配置された状態を示す図
【図２５】図２１の排泄物回収具の挿入部材をパンツ型おむつに挿入するときの状態を示す図
【図２６】図２１の排泄物回収具で用いる回収パック及び回収パックアダプターの分解図
【図２７】図２６の回収パックの畳んだ状態（ａ）と広げた状態（ｂ）を示す図
【図２８】図２７の回収パックの断面図
【図２９】本発明の第６の実施形態における排泄物回収具の断面図
【図３０】図２９の排泄物回収具の装着具を示す図
【符号の説明】
【００７９】
１０    装着具
１１    便通過孔
１２    突縁
１３    くびれ
１４    後方部材
１５    前方部材
１６    溝
１７    面ファスナー
１８    溝
２０    回収パックアダプター
２１    筒体部
２２    可撓性筒状部
２３    ティッシュ部
２４    輪ゴム
２５    係止部
２６    拡開部材
３０    回収パック
３１    便収納部
３２    入口
４０    孔形状保持部材
４１    鍔
５０    使用者
５１    背側
５２    前側
５４    肛門
６０    胴ベルト
６１    前部取付ベルト
６２    後部取付ベルト
６３    オムツ
７０    孔
７１    無線通信モジュール
７２    センサ
７３    導線
７４    電極または超音波送信機
７５    電極または超音波受信機
７６    ＲＦＩＤタグ
７７    センサ
７８    非接触通信アンテナ
７９    溝
８０    無線通信装置
１４０  後方部材
１４１  分岐部
２１０  筒体部
２１１  筒状部
２１２  筒状部
２１３  筒状部
２２０  可撓性筒状部
３００  回収パック
４００  孔形状保持部材
４０１  テーパ状外面
４０２  操作部
４０３  突出部
６２０  後部取付ベルト
７１１  無線回路
７１２  デジタル処理部
７１３  マイコン
７１４  信号インタフェース
７１５  発振器
７１６  電源
７１７  アンテナ
７６１  ＩＣチップ
７６２  アンテナ
８１０  内在部材
８１３  皿状部
８１４  筒状部
８１５  鍔部
８１６  切除部
８１７  切溝
８２０  回収パックアダプター
８２１  口形状保持部材
８２３  ティッシュ部
８３０  回収パック
８４０  挿入部材
８４１  筒状部
８４２  鍔部
８４３  突縁
８４４  山型
８４５  便通過孔
８５０  縁部材
８５１  凹溝
８６０  パンツ型おむつ
８６１  尿パッド
８６２  孔
９００  装着具
９０１  筒状部
９０２  固定板
９０３  突縁
９０４  面ファスナー
【図１】
2009056285.tif 000003
【図２】
2009056285.tif 000004
【図３】
2009056285.tif 000005
【図４】
2009056285.tif 000006
【図５】
2009056285.tif 000007
【図６】
2009056285.tif 000008
【図７】
2009056285.tif 000009
【図８】
2009056285.tif 000010
【図９】
2009056285.tif 000011
【図１０】
2009056285.tif 000012
【図１２】
2009056285.tif 000013
【図１３】
2009056285.tif 000014
【図１４】
2009056285.tif 000015
【図１５】
2009056285.tif 000016
【図１７】
2009056285.tif 000017
【図１８】
2009056285.tif 000018
【図１９】
2009056285.tif 000019
【図２０】
2009056285.tif 000020
【図１１】
2009056285.tif 000021
【図１６】
2009056285.tif 000022
【図２１】
2009056285.tif 000023
【図２２】
2009056285.tif 000024
【図２３】
2009056285.tif 000025
【図２４】
2009056285.tif 000026
【図２５】
2009056285.tif 000027
【図２６】
2009056285.tif 000028
【図２７】
2009056285.tif 000029
【図２８】
2009056285.tif 000030
【図２９】
2009056285.tif 000031
【図３０】
2009056285.tif 000032